(57)【要約】【課題】天板付き什器がベンチテーブルであっても、電子機器を安全に管理しながら配線に接続できるようにする。【解決手段】什器システムＳｙｓは、互いに第一方向に離間して床面Ｆ上に立設された一対の支持脚体と、一対の支持脚体により下方から支持された天板１２と、天板の下面１２ｂ側に設けられ、電子機器Ｅに接続される配線Ｃを挿通させる配線挿通部１３と、を有する天板付き什器１と、内部に電子機器を収容可能な物品収容空間Ｓ３を有する什器本体部２１と、什器本体部の下面に設けられたキャスター装置２２と、を有するワゴン装置２と、を備え、什器本体部のうち天板の下面側の空間に配される収納部位には、配線を物品収容空間の内側から外側に通す配線挿通孔２１６が形成され、配線が、物品収容空間から配線挿通孔を通して配線挿通部まで案内されることを特徴とする。【選択図】図５
2020175007.tif 000002
【特許請求の範囲】
【請求項１】
互いに第一方向に離間して床面上に立設された一対の支持脚体と、前記一対の支持脚体により支持された天板と、前記天板の下面側に設けられ、電子機器に接続される配線を挿通させる配線挿通部と、を有する天板付き什器と、
内部に電子機器を収容可能な物品収容空間を有する什器本体部と、前記什器本体部の下面に設けられたキャスター装置と、を有し、少なくとも一部が前記天板付き什器の前記天板の下面側の空間に収納されるワゴン装置と、
を備え、
前記什器本体部のうち前記天板の下面側の空間に配される収納部位には、前記配線を前記物品収容空間の内側から外側に通す配線挿通孔が形成され、
前記配線が、前記物品収容空間から前記配線挿通孔を通して前記配線挿通部まで案内されることを特徴とする什器システム。
【請求項２】
前記配線挿通部には、前記天板の下面側において前記配線挿通部の内側と外側とをつなぐ配線用開口孔が形成され、
前記配線用開口孔は、前記第一方向に延びていることを特徴とする請求項１に記載の什器システム。
【請求項３】
前記配線挿通孔は、前記什器本体部の前記収納部位のうち、水平方向において前記第一方向に直交する第二方向において前記配線挿通部に対向する部位に形成されていることを特徴とする請求項１又は請求項２に記載の什器システム。
【請求項４】
前記什器本体部には、前記物品収容空間を外側に開口させる開口部が形成され、
前記ワゴン装置は、前記什器本体部の開口部を開閉可能とする蓋部をさらに備えることを特徴とする請求項１から請求項３のいずれか一項に記載の什器システム。
【請求項５】
前記什器本体部には、前記物品収容空間を側方に開口させる開口部が形成され、
前記ワゴン装置は、前記開口部を通じて前記物品収容空間に対して挿抜可能に設けられ、前記電子機器及び前記配線を収容することが可能な引出し部をさらに備えることを特徴とする請求項１から請求項４のいずれか一項に記載の什器システム。
【請求項６】
前記物品収容空間は、当該物品収容空間に対する前記引出し部の挿抜位置に関わらず、前記引出し部の挿抜方向において前記引出し部と前記什器本体部の内面との間に形成される配線案内空間部を含み、
前記配線案内空間部には、前記引出し部から前記配線挿通孔に至る前記配線の部位が配されることを特徴とする請求項５に記載の什器システム。
【発明の詳細な説明】
【技術分野】
【０００１】
本発明は、什器システムに関する。
【背景技術】
【０００２】
オフィスや病院、公共施設、研究施設等の執務空間には、左右方向に離間して床面上に設置された一対の支持脚体と、一対の支持脚体により支持された天板と、を有する天板付き什器が設置されている。近年、天板付き什器では、天板の上面においてスマートフォン、タブレットＰＣ、ノートＰＣ等のように携行可能な電子機器（モバイル端末）を用いた作業が行われることも多い。
【０００３】
特許文献１には、天板の下面側に設けられた配線ダクトに配された配線（電源用配線や通信用配線）を、天板の下面に取り付けられた引き出しの内部に引き込む構成が開示されている。特許文献１の構成では、携行可能な電子機器を、引き出しの内部に安全に保管した状態で、引き出しに引き込まれた配線に接続しておくことができる。すなわち、電子機器を安全に管理しながら、電子機器への充電や給電などを実施できる。
【先行技術文献】
【特許文献】
【０００４】
【特許文献１】特許第６２０７０７０号公報
【発明の概要】
【発明が解決しようとする課題】
【０００５】
ところで、天板付き什器には、天板が左右方向に長い所謂ベンチテーブルがある。ベンチテーブルでは、複数の利用者が左右方向に並ぶことで、天板の上面を複数の利用者で共有する（シェアする）ことができる。また、天板の左右方向において利用者一人が占有する天板上面の占有幅寸法を柔軟に変更することができる。例えば、同一のベンチテーブルを利用する人数に応じて、利用者一人当たりの占有幅寸法を柔軟に調整できる。
【０００６】
ベンチテーブルのような天板付き什器においても、携行可能な電子機器を安全に管理しながら配線に接続できることが求められている。しかしながら、ベンチテーブルのような天板付き什器の天板に、特許文献１と同様の引き出しを取り付けてしまうと、占有幅寸法を柔軟に調整できるというベンチテーブルとしての利点が失われてしまう。
【０００７】
本発明は、上述した事情に鑑みたものであって、天板付き什器がベンチテーブルであっても、電子機器を安全に管理しながら配線に接続できる什器システムを提供することを目的とする。
【課題を解決するための手段】
【０００８】
本発明の一態様に係る什器システムは、互いに第一方向に離間して床面上に立設された一対の支持脚体と、前記一対の支持脚体により支持された天板と、前記天板の下面側に設けられ、電子機器に接続される配線を挿通させる配線挿通部と、を有する天板付き什器と、内部に電子機器を収容可能な物品収容空間を有する什器本体部と、前記什器本体部の下面に設けられたキャスター装置と、を有し、少なくとも一部が前記天板付き什器の前記天板の下面側の空間に収納されるワゴン装置と、を備え、前記什器本体部のうち前記天板の下面側の空間に配される収納部位には、前記配線を前記物品収容空間の内側から外側に通す配線挿通孔が形成され、前記配線が、前記物品収容空間から前記配線挿通孔を通して前記配線挿通部まで案内される。
【０００９】
この構成よれば、電子機器をワゴン装置の物品収容空間に収容することで、電子機器を安全に管理できる。また、物品収容空間に収容された電子機器は、什器本体部の配線挿通孔を通して物品収容空間に引き込まれた配線に接続できる。すなわち、電子機器を安全に管理しながら配線に接続することができる。
また、ワゴン装置は、キャスター装置により天板付き什器に対して移動可能である。このため、天板付き什器が第一方向に長いベンチテーブルであっても、ワゴン装置の配線挿通孔から天板付き什器の配線挿通部に至る配線の余長に応じて、ワゴン装置を天板付き什器に対して第一方向に移動させることができる。すなわち、第一方向において天板付き什器に対するワゴン装置の位置を容易に変更できる。したがって、第一方向における利用者の占有幅寸法を柔軟に調整することができる。
【００１０】
本発明の一態様に係る什器システムにおいて、前記配線挿通部には、前記天板の下面側において前記配線挿通部の内側と外側とをつなぐ配線用開口孔が形成され、前記配線用開口孔は、前記第一方向に延びてもよい。
【００１１】
この構成では、配線挿通部の配線用開口孔が第一方向に延びていることで、当該配線用開口孔を通る配線の部位は、第一方向に移動することができる。このため、ワゴン装置の配線挿通孔から配線用開口孔を通って配線挿通部の内側まで延びる配線の部位は、ワゴン装置の第一方向への移動に追従して移動できる。すなわち、ワゴン装置は、天板付き什器に対して第一方向に自由に移動することができる。これにより、第一方向において天板付き什器に対するワゴン装置の位置を、より広い範囲で変更することができる。したがって、ワゴン装置の位置を、天板付き什器における利用者の占有幅寸法の変更に対してより柔軟に対応させることができる。
【００１２】
本発明の一態様に係る什器システムにおいて、前記配線挿通孔は、前記什器本体部の前記収納部位のうち、水平方向において前記第一方向に直交する第二方向において前記配線挿通部に対向する部位に形成されてもよい。
【００１３】
ここの構成によれば、ワゴン装置の配線挿通孔から配線挿通部に至る配線の長さを短くすることができる。
また、ワゴン装置の配線挿通孔から天板付き什器の配線挿通部に至る配線が、第二方向においてワゴン装置と配線挿通部との間に配されるため、当該配線は第二方向から見えにくくなる。これにより、什器システムの外観意匠を良好に保つことができる。
【００１４】
本発明の一態様に係る什器システムにおいて、前記什器本体部には、前記物品収容空間を外側に開口させる開口部が形成され、前記ワゴン装置は、前記什器本体部の開口部を開閉可能とする蓋部をさらに備えてもよい。
【００１５】
この構成によれば、什器本体部の開口部を蓋部によって閉じることで、物品収容空間に収容された電子機器が外部に露出することを防止できる。すなわち、電子機器をより安全に管理できる。
【００１６】
本発明の一態様に係る什器システムにおいて、前記什器本体部には、前記物品収容空間を側方に開口させる開口部が形成され、前記ワゴン装置は、前記開口部を通じて前記物品収容空間に対して挿抜可能に設けられ、前記電子機器及び前記配線を収容することが可能な引出し部をさらに備えてもよい。
【００１７】
この構成によれば、引出し部を利用することで、電子機器を什器本体部の物品収容空間に対して簡単に出し入れすることができる。
【００１８】
本発明の一態様に係る什器システムにおいて、前記物品収容空間は、当該物品収容空間に対する前記引出し部の挿抜位置に関わらず、前記引出し部の挿抜方向において前記引出し部と前記什器本体部の内面との間に形成される配線案内空間部を含み、前記配線案内空間部には、前記引出し部から前記配線挿通孔に至る前記配線の部位が配されてもよい。
【００１９】
この構成によれば、引出し部を物品収容空間に挿入した位置に配した状態であっても、物品収容空間において引出し部から配線挿通孔に至る配線の部位が、引出し部と什器本体部の内面との間に挟まれることを防止できる。したがって、配線の保護を図ることができる。
【発明の効果】
【００２０】
本発明によれば、天板付き什器がベンチテーブルであっても、電子機器を安全に管理しながら配線に接続することができる。
【図面の簡単な説明】
【００２１】
【図１】本発明の第一実施形態に係る什器システムを示す斜視図である。
【図２】同什器システムの天板付き什器を分解した斜視図である。
【図３】同天板付き什器の配線挿通部を下方から見上げた斜視図である。
【図４】同什器システムの要部を示す正面図である。
【図５】同什器システムのワゴン装置の一部を破断した同什器システムの要部を示す側面図である。
【図６】同ワゴン装置の引出し部が挿入位置にある場合の配線の配置を示す平面図である。
【図７】同ワゴン装置の引出し部が抜出位置にある場合の配線の配置を示す平面図である。
【図８】本発明の第二実施形態に係る什器システムの要部を示す正面図である。
【図９】同什器システムのワゴン装置の一部を破断した同什器システムの要部を示す側面図である。
【発明を実施するための形態】
【００２２】
〔第一実施形態〕
以下、図１〜７を参照して本発明の第一実施形態について説明する。
図１に示すように、本実施形態に係る什器システムＳｙｓは、天板付き什器１と、ワゴン装置２と、を備える。
図１，２に示すように、天板付き什器１は、一対の支持脚体１１と、天板１２と、配線挿通部１３と、を備える。また、本実施形態の天板付き什器１は、中間脚体１４をさらに備える。
【００２３】
一対の支持脚体１１は、互いに左右方向（第一方向）に離間して床面Ｆ上に立設されている。左右方向は、水平方向（床面Ｆに沿う方向）における一方向であり、図面においてはＸ軸方向で示している。各支持脚体１１は、左右方向が厚さ方向となる板状に形成されている。
支持脚体１１は、左右方向から見て、前後方向（第二方向）を横方向とし、上下方向を縦方向とする矩形状に形成されている。前後方向は、水平方向において左右方向に直交する方向であり、図面においてはＹ軸方向で示している。上下方向は、水平方向に直交する方向であり、図面においてはＺ軸方向で示している。
【００２４】
中間脚体１４は、左右方向において一対の支持脚体１１の間に配される。中間脚体１４は、上下方向に延びる脚本体部１４１と、脚本体部１４１の上端に固定された横梁部１４２と、を備える。脚本体部１４１は、柱状に形成され、床面Ｆ上に立設されている。前後方向における中間脚体１４の長さは、前後方向における支持脚体１１の長さよりも短い。横梁部１４２は、脚本体部１４１の上端に固定され、脚本体部１４１の上端から前後方向の一方側及び他方側にそれぞれ延びている。前後方向における横梁部１４２の長さは、前後方向における支持脚体１１の長さとほぼ等しい。
【００２５】
天板１２は、一対の支持脚体１１により下方から支持される。本実施形態では、上下方向から見た平面視で、天板１２が左右方向に長い矩形状に形成されている。天板１２の左右方向の両端部が、一対の支持脚体１１により支持される。また、天板１２の左右方向の中間部が、中間脚体１４の横梁部１４２により支持される。
前後方向における天板１２の中間には、左右方向に延びる隙間Ｓ１が形成されている。当該隙間Ｓ１は、天板１２の板厚方向（上下方向）に貫通している。当該隙間Ｓ１は、天板１２の左右方向の一端から他端まで延びている。
【００２６】
具体的に、本実施形態の天板１２は、四枚の天板片１２１〜１２４を格子状に配列して構成されている。各天板片１２１〜１２４は、平面視で左右方向に長い矩形状に形成されている。各天板片１２１〜１２４は、その左右方向の両端が支持脚体１１及び中間脚体１４の横梁部１４２によって支持される。各天板片１２１〜１２４は、例えばボルトナットなどの締結具によって支持脚体１１及び中間脚体１４の横梁部１４２に固定される。一対の支持脚体１１及び中間脚体１４に固定された四枚の天板片１２１〜１２４は、左右方向に隙間Ｓ１をあけずに並べられ、前後方向に隙間Ｓ１をあけて並べられる。
【００２７】
図１〜５に示すように、配線挿通部１３は、天板１２の下面１２ｂ側に設けられ、後述する電子機器Ｅ（図５〜７参照）に接続される配線Ｃを挿通させる。配線Ｃには、電子機器Ｅに電力を供給するための電源用配線や、電子機器Ｅと他の機器との間で情報の送受信を行うための通信用配線などがある。本実施形態の図面には、電源用配線だけが記載されている。配線挿通部１３は、床面Ｆの上方に間隔をあけて位置する。本実施形態における配線挿通部１３は、左右方向に延びている。これにより、配線Ｃは、配線挿通部１３において左右方向に挿通される。
【００２８】
図３，５に示すように、配線挿通部１３には、天板１２の下面１２ｂ側において配線挿通部１３の内側と外側とをつなぐ配線用開口孔１３１が形成されている。配線挿通部１３の内側は、配線Ｃを挿通させる配線挿通部１３の内側の空間であり、以下では挿通空間Ｓ２と呼ぶ。配線用開口孔１３１は、左右方向に延びている。配線挿通部１３に配線用開口孔１３１が形成されていることで、挿通空間Ｓ２に挿通された配線Ｃを、天板１２の下面１２ｂ側において挿通空間Ｓ２の外側に引き出すことができる。
配線用開口孔１３１は、例えば前後方向における配線挿通部１３の一端又は両端に形成されてよい。本実施形態の配線用開口孔１３１は、配線挿通部１３の下端に形成されている。これにより、挿通空間Ｓ２に挿通された配線Ｃを、挿通空間Ｓ２の下方に引き出すことができる。
【００２９】
配線挿通部１３は、例えば前後方向における天板１２の端部に配されてもよい。本実施形態の配線挿通部１３は、前後方向における天板１２の中間部に配されている。これにより、配線Ｃを挿通させる配線挿通部１３の挿通空間Ｓ２は、前述した天板１２の隙間Ｓ１を通して天板１２の上方に開口する。
配線挿通部１３は、例えば左右方向において互いに間隔をあけて複数配列されてもよい。配線挿通部１３は、例えば左右方向において一対の支持脚体１１の一方から他方まで延びていてもよい。図１，２に示すように、本実施形態の配線挿通部１３は、中間脚体１４において二つに分断されている。すなわち、各配線挿通部１３は、左右方向において支持脚体１１から中間脚体１４まで延びている。
【００３０】
図２，３に示すように、本実施形態の配線挿通部１３は、一対の支持体１５と、配線トレー１６と、を備える。
一対の支持体１５は、互いに前後方向に離間して配される。一対の支持体１５の間に、配線挿通部１３の挿通空間Ｓ２が形成される。また、一対の支持体１５の下端の間の隙間が、配線挿通部１３の配線用開口孔１３１として機能する。配線用開口孔１３１は、左右方向における一対の支持体１５の全体にわたって形成されている。
一対の支持体１５は、それぞれ左右方向に長く延びている。本実施形態において、各支持体１５は左右方向において支持脚体１１から中間脚体１４まで延びている。一対の支持体１５は、例えば天板１２の下面１２ｂに固定されてもよいし、例えば支持脚体１１及び中間脚体１４に接続されてもよい。
【００３１】
図３に示すように、一対の支持体１５は、それぞれベース片１５１と、上端片１５２と、下端片１５３と、を備える。ベース片１５１は、前後方向を板厚方向とする板状に形成され、左右方向に長く延びている。上端片１５２は、上下方向を板厚方向とする板状に形成されている。上端片１５２は、ベース片１５１の上端から前後方向において互いの支持体１５に近づくように内向きに延びる。上端片１５２は、天板１２の下面１２ｂに重ねて配される。下端片１５３は、ベース片１５１の下端から前後方向において互いの支持体１５に近づくように内向きに延びる。図示例において、下端片１５３の延長方向の先端部は、上方に向かって折り曲げられているが、これに限ることはない。
【００３２】
配線トレー１６は、配線用開口孔１３１を覆うように一対の支持体１５に取り付けられる。配線トレー１６は、一対の支持体１５の下端片１５３上に載置されることで、一対の支持体１５によって支持される。左右方向における配線トレー１６の長さは、左右方向における一対の支持体１５の長さよりも短い。配線トレー１６は、図２に例示するように、左右方向に複数配列されてもよい。
配線挿通部１３に挿通される配線Ｃは、図３に例示するように配線トレー１６上に配されてもよいし、例えば支持体１５の下端片１５３上に配されてもよい。
【００３３】
図１，２，５に示すように、本実施形態の天板付き什器１は、カバー部材１７をさらに備える。カバー部材１７は、天板１２の隙間Ｓ１を覆い、配線挿通部１３の挿通空間Ｓ２の上方への開口を閉じる。これにより、配線挿通部１３の挿通空間Ｓ２に配された配線Ｃが天板１２の上面１２ａ側から見えないように、当該配線Ｃをカバー部材１７によって隠すことができる。また、カバー部材１７は、例えば天板１２の隙間Ｓ１（挿通空間Ｓ２の上方の開口）を開閉するように構成されてよい。これにより、天板１２の上面１２ａ側に配した各種の電子機器を、配線挿通部１３の挿通空間Ｓ２に配された配線Ｃに簡単に接続することができる。
【００３４】
図１，４，５に示すように、ワゴン装置２は、天板１２の下面１２ｂ側の空間（以下、下方空間と呼ぶ。）に収納可能である。ワゴン装置２は、例えばその一部だけが天板１２の下方空間に配置されてもよいが、本実施形態ではワゴン装置２全体が天板１２の下方空間に配置可能である。上下方向において床面Ｆを基準とするワゴン装置２の高さ寸法は、床面Ｆから天板１２の下面１２ｂに至る高さ寸法よりも小さい。
【００３５】
また、本実施形態におけるワゴン装置２の高さ寸法は、床面Ｆから配線挿通部１３の下端に至る距離Ｄ１よりも大きい。このため、ワゴン装置２は、配線挿通部１３の下側に配置することはできず、天板１２の下側空間のうち前後方向における配線挿通部１３の両側の各空間に配置することができる。そして、ワゴン装置２を天板１２の下側空間に配した状態では、ワゴン装置２の上端部が前後方向において配線挿通部１３に対向する。配線挿通部１３の両側の各空間では、ワゴン装置２の位置を、一対の支持脚体１１の間において左右方向に自由に変更できる。
なお、ワゴン装置２は、例えば配線挿通部１３の下側に配置できるように構成されてもよい。すなわち、ワゴン装置２の高さ寸法は、例えば床面Ｆから配線挿通部１３の下端に至る距離Ｄ１よりも小さくてもよい。
【００３６】
図４，５に示すように、ワゴン装置２は、什器本体部２１と、什器本体部２１の下面に設けられたキャスター装置２２と、を備える。ワゴン装置２は、キャスター装置２２を備えることで、床面Ｆ上で移動自在となっている。本実施形態のワゴン装置２は、蓋部２３や、引出し部２４、施錠装置２５をさらに備える。
【００３７】
図４〜７に示すように、什器本体部２１は、内部に電子機器Ｅなどの物品を収容可能な物品収容空間Ｓ３を有する。物品収容空間Ｓ３に収容される電子機器Ｅは、例えばスマートフォンやタブレットＰＣ、ノートＰＣ等のように携行可能な電子機器である。什器本体部２１には、物品収容空間Ｓ３を外側に開口させる開口部２１１が形成されている。什器本体部２１の開口部２１１は、電子機器Ｅなどの物品を物品収容空間Ｓ３に対して出し入れするための出入口である。
什器本体部２１の開口部２１１は、例えば物品収容空間Ｓ３を複数の方向（例えば上方及び側方）に開口させるように形成されてよい。本実施形態において、什器本体部２１の開口部２１１は、物品収容空間Ｓ３を一方向に開口させるように形成されている。具体的に、什器本体部２１の開口部２１１は、物品収容空間Ｓ３を側方（図４〜７においてＹ軸負方向）に開口させるように形成されている。
【００３８】
什器本体部２１は、直方体状の外観を有する。什器本体部２１は、平面視矩形状に形成された底板２１２と、底板２１２の三辺に立設された三つの側板２１３Ｂ，２１３Ｌ，２１３Ｒと、三つの側板２１３Ｂ，２１３Ｌ，２１３Ｒの上端に設けられた矩形状の天井板２１４と、を有する。
一つの側板２１３Ｂは、その板厚方向がワゴン装置２の前後方向に向くように配された背面板２１３Ｂである。ワゴン装置２の前後方向は、物品収容空間Ｓ３が開口する方向であり、図面においてはＹ軸方向で示している。
【００３９】
残り二つの側板２１３Ｌ，２１３Ｒは、その板厚方向がワゴン装置２の幅方向に向くように配された左側板２１３Ｌ及び右側板２１３Ｒである。ワゴン装置２の幅方向は、水平方向においてワゴン装置２の前後方向に直交する方向であり、図面においてはＸ軸方向で示している。
物品収容空間Ｓ３は、これら底板２１２、三つの側板２１３Ｂ，２１３Ｌ，２１３Ｒ（背面板２１３Ｂ、左側板２１３Ｌ、右側板２１３Ｒ）及び天井板２１４によって囲まれた直方体状の空間である。
【００４０】
図５〜７に示すように、蓋部２３は、什器本体部２１の開口部２１１を開閉可能とする。すなわち、蓋部２３は、開口部２１１を閉じる位置Ｐ１１（図５，６参照）と、開口部２１１を開く位置Ｐ１２（図５，７参照）との間で移動可能に設けられる。蓋部２３は、例えば什器本体部２１に対して回転可能に取り付けられる扉であってよい。本実施形態の蓋部２３は、後述する引出し部２４に一体に設けられている。
【００４１】
引出し部２４は、什器本体部２１の開口部２１１を通じて物品収容空間Ｓ３に対して挿抜可能に設けられる。すなわち、引出し部２４は、物品収容空間Ｓ３に挿入される挿入位置Ｐ２１（図５，６）と、物品収容空間Ｓ３から抜き出した抜出位置Ｐ２２（図５，７）との間で、移動可能である。什器本体部２１に対する引出し部２４の挿抜方向（移動方向）は、ワゴン装置２の前後方向である。引出し部２４は、什器本体部２１の内面（左側板２１３Ｌ及び右側板２１３Ｒ）に固定された一対の支持レール２６によって前後方向にスライド可能に支持される。
引出し部２４は、上方に開口する箱状に形成され、電子機器Ｅを収容可能である。
【００４２】
本実施形態では、引出し部２４を挿入位置Ｐ２１に配した状態であっても、引出し部２４は、当該引出し部２４の挿入方向の前側に位置する什器本体部２１の内面（背面板２１３Ｂ）に対して間隔をあけて配される。すなわち、物品収容空間Ｓ３に対する引出し部２４の挿抜位置（挿入位置Ｐ２１及び抜出位置Ｐ２２）に関わらず、引出し部２４の挿抜方向において引出し部２４と什器本体部２１の内面との間には、隙間空間Ｓ３１が形成される。隙間空間Ｓ３１は、物品収容空間Ｓ３に含まれる空間である。以下の説明では、隙間空間Ｓ３１を配線案内空間部Ｓ３１と呼ぶ。
【００４３】
引出し部２４には、前述した蓋部２３が一体に設けられている。蓋部２３は、引出し部２４の抜出方向（Ｙ軸負方向）における引出し部２４の前側の端部に設けられている。これにより、蓋部２３は、引出し部２４を挿入位置Ｐ２１に配した状態で、開口部２１１を閉じる位置Ｐ１１（図５，６）に配される。また、蓋部２３は、引出し部２４を挿入位置Ｐ２１から抜出位置Ｐ２２に向けて移動させることで、開口部２１１を開く位置Ｐ１２（図７）に配される。
【００４４】
本実施形態のワゴン装置２は、上記した引出し部２４及びこれに一体に設けられた蓋部２３を複数（図示例では三つ）備える。複数の引出し部２４及び蓋部２３は、上下方向に並べられる。複数の蓋部２３は、それぞれ什器本体部２１の開口部２１１の一部を閉じる。図５においては、三つの引出し部２４及び蓋部２３のうち、最上段の引出し部２４及び三つの蓋部２３を示し、下の二段の引出し部２４の記載を省略している。
【００４５】
図４に示す施錠装置２５は、什器本体部２１の開口部２１１を閉じる位置Ｐ１１に蓋部２３を保持する。本実施形態では、蓋部２３が引出し部２４に一体に設けられている。このため、施錠装置２５によって蓋部２３が什器本体部２１の開口部２１１を閉じる位置Ｐ１１に保持された状態では、引出し部２４が挿入位置Ｐ２１に保持される。蓋部２３を施錠／開錠する施錠装置２５の具体的な構成は、鍵を利用した構成や、暗証番号を利用した構成など、任意であってよい。
【００４６】
図５に示すように、前述した什器本体部２１のうち、天板１２の下方空間に配される収納部位には、配線挿通孔２１６が形成されている。配線挿通孔２１６は、電子機器Ｅに接続される配線Ｃを物品収容空間Ｓ３の内側から外側に通す。これにより、配線Ｃを、物品収容空間Ｓ３から配線挿通孔２１６に通した上で、天板付き什器１の配線挿通部１３まで到達させることができる。
【００４７】
配線挿通孔２１６は、例えば什器本体部２１の左側板２１３Ｌや右側板２１３Ｒ、天井板２１４に形成されてもよい。本実施形態の配線挿通孔２１６は、什器本体部２１の背面板２１３Ｂに形成されている。ここで、本実施形態のワゴン装置２は、什器本体部２１の開口部２１１が前後方向における天板１２の外側に向くように、すなわち、什器本体部２１の背面板２１３Ｂが前後方向において配線挿通部１３に対向するように、配される。このため、配線挿通孔２１６は、什器本体部２１のうち前後方向において配線挿通部１３に対向する部位（背面板２１３Ｂ）に形成されている。
【００４８】
また、配線挿通孔２１６は、上下方向において配線挿通部１３よりも下方に位置している。さらに、上下方向において床面Ｆから配線挿通孔２１６に至る距離Ｄ２は、ワゴン装置２の高さ寸法の半分以上である。なお、配線挿通孔２１６は、例えば配線挿通部１３と同じ高さに位置してもよい。また、床面Ｆから配線挿通孔２１６に至る距離Ｄ２は、例えばワゴン装置２の高さ寸法の半分以下であってもよい。
【００４９】
什器システムＳｙｓでは、物品収容空間Ｓ３に配された電子機器Ｅに接続される配線Ｃが、物品収容空間Ｓ３から配線挿通孔２１６を通して天板付き什器１の配線挿通部１３まで案内される。図６に示すように、物品収容空間Ｓ３には、電子機器Ｅに接続するための配線Ｃの端子Ｃ１（図示例では電源タップ）が配される。本実施形態においては、配線Ｃの端子Ｃ１が引出し部２４に収容され、配線Ｃは、引出し部２４から物品収容空間Ｓ３を通り、配線挿通孔２１６を通して物品収容空間Ｓ３の外側に引き出される。
【００５０】
図６，７に示すように、引出し部２４を備える本実施形態のワゴン装置２では、引出し部２４から配線挿通孔２１６に至る配線Ｃの部位が、物品収容空間Ｓ３のうち前述した配線案内空間部Ｓ３１に配される。そして、本実施形態のワゴン装置２は、配線案内空間部Ｓ３１に設けられ、配線案内空間部Ｓ３１に配された配線Ｃの部位を支持しつつ案内する配線案内装置２７をさらに備える。
【００５１】
配線案内装置２７は、細長い形状に形成され、引出し部２４の挿抜方向（Ｙ軸方向）への移動に応じて、一平面内でのみ折曲変形可能である。本実施形態における一平面は、ワゴン装置２の前後方向（Ｙ軸方向）及び幅方向（Ｘ軸方向）を含む平面であり、上下方向（Ｚ軸方向）に直交する。
【００５２】
配線案内装置２７の長手方向の第一端部２７１は引出し部２４に固定され、配線案内装置２７の第二端部２７２は引出し部２４の挿入方向の前側に位置する什器本体部２１の内面（背面板２１３Ｂ）に固定されている。これにより、図６に示すように引出し部２４を挿入位置Ｐ２１に配した状態、すなわち、引出し部２４が什器本体部２１の背面板２１３Ｂの近くに位置する状態では、配線案内装置２７及びこれに支持された配線Ｃの部位が折り曲げられる。一方、図７に示すように引出し部２４を抜出位置Ｐ２２に配した状態、すなわち、引出し部２４が什器本体部２１の背面板２１３Ｂから離れて位置する状態では、配線案内装置２７及びこれに支持された配線Ｃの部位が引出し部２４の挿抜方向（Ｙ軸方向）に延ばされる。
【００５３】
本実施形態において、配線案内装置２７は、図５に示すように、配線案内空間部Ｓ３１のうち引出し部２４よりも上方の領域において、一平面（ＸＹ平面）内でのみ折曲変形可能となっている。これにより、配線案内装置２７が引出し部２４と干渉することを防いでいる。
配線案内装置２７の具体的な構成は任意であってよい。本実施形態の配線案内装置２７は、図６，７に示すように、複数の枠体２７３と、回転軸２７４と、を備える。複数の枠体２７３は、それぞれ内部に配線Ｃを保持する空間を有し、長手方向に配列される。回転軸２７４は、一平面に直交する軸線を中心として、隣り合う枠体２７３を互いに回転可能に連結する。これにより、配線案内装置２７やこれに支持された配線Ｃの部位を、長手方向の任意の箇所で折り曲げることができる。
【００５４】
図５に示すように、本実施形態の什器システムＳｙｓは、ワゴン装置２を天板付き什器１に係留する係留ロープ３をさらに備える。図示例において、係留ロープ３の第一端部はワゴン装置２の背面（背面板２１３Ｂ）に設けられた係止部２８に括りつけられている。図示しないが、係留ロープ３の第二端部は天板付き什器１に設けられた係留部などに括りつけられる。また、係留ロープ３には錠前４が取り付けられている。錠前４により、係留ロープ３が天板付き什器１及びワゴン装置２から外れることを防いでいる。
ワゴン装置２が係留ロープ３によって天板付き什器１に係留されていることで、ワゴン装置２が盗まれることを抑制できる。ワゴン装置２が係留ロープ３によって天板付き什器１に係留されていても、ワゴン装置２は、係留ロープ３の余長に応じて天板付き什器１に対して移動できる。
【００５５】
以上説明したように、本実施形態の什器システムＳｙｓによれば、電子機器Ｅをワゴン装置２の物品収容空間Ｓ３に収容することで、電子機器Ｅを安全に管理できる。また、物品収容空間Ｓ３に収容された電子機器Ｅは、什器本体部２１の配線挿通孔２１６を通して物品収容空間Ｓ３に引き込まれた配線Ｃに接続できる。すなわち、電子機器Ｅを安全に管理しながら配線Ｃに接続することができる。
【００５６】
また、本実施形態のワゴン装置２は、キャスター装置２２により天板付き什器１に対して移動可能である。このため、天板付き什器１が左右方向に長いベンチテーブルであっても、ワゴン装置２の配線挿通孔２１６から天板付き什器１の配線挿通部１３に至る配線Ｃの余長に応じて、ワゴン装置２を天板付き什器１に対して左右方向に移動させることができる。すなわち、左右方向において天板付き什器１に対するワゴン装置２の位置を容易に変更できる。したがって、左右方向における利用者の占有幅寸法を柔軟に調整することができる。
【００５７】
また、本実施形態の什器システムＳｙｓによれば、天板付き什器１の配線挿通部１３に形成された配線用開口孔１３１が左右方向に延びていることで、当該配線用開口孔１３１を通る配線Ｃの部位は、左右方向に移動することができる。このため、ワゴン装置２の配線挿通孔２１６から配線用開口孔１３１を通って配線挿通部１３の内側まで延びる配線Ｃの部位は、ワゴン装置２の左右方向への移動に追従して移動できる。すなわち、ワゴン装置２は、天板付き什器１に対して左右方向に自由に移動できる。これにより、左右方向において天板付き什器１に対するワゴン装置２の位置を、より広い範囲で変更することができる。したがって、ワゴン装置２の位置を、天板付き什器１における利用者の占有幅寸法の変更に対してより柔軟に対応させることができる。
【００５８】
また、本実施形態の什器システムＳｙｓによれば、ワゴン装置２の配線挿通孔２１６が、前後方向において配線挿通部１３に対向する什器本体部２１の背面板２１３Ｂに形成されている。これにより、ワゴン装置２の配線挿通孔２１６から配線挿通部１３に至る配線Ｃの長さを短くすることができる。
また、配線挿通孔２１６が背面板２１３Ｂに形成されることで、ワゴン装置２の配線挿通孔２１６から天板付き什器１の配線挿通部１３に至る配線Ｃは、前後方向においてワゴン装置２と配線挿通部１３との間に配される。これにより、当該配線Ｃが前後方向（ワゴン装置２の前部側）から見えにくくなる。したがって、什器システムＳｙｓの外観意匠を良好に保つことができる。
【００５９】
また、本実施形態の什器システムＳｙｓによれば、ワゴン装置２の配線挿通孔２１６が、上下方向において配線挿通部１３よりも下方に位置する。これにより、ワゴン装置２の配線挿通孔２１６から天板付き什器１の配線挿通部１３に向けて延びる配線Ｃが、ワゴン装置２（特に什器本体部２１）と配線挿通部１３との間に挟まれることを抑制できる。すなわち、配線Ｃの保護を図ることができる。
【００６０】
また、本実施形態の什器システムＳｙｓによれば、上下方向において床面Ｆから配線挿通孔２１６に至る距離Ｄ２が、ワゴン装置２の高さ寸法の半分以上となっている。このため、配線Ｃが、ワゴン装置２の配線挿通孔２１６と天板付き什器１の配線挿通部１３との間において下方に垂れ下がったとしても、床面Ｆに接触することを抑制できる。これにより、当該配線Ｃがワゴン装置２や人の足などによって踏まれることを抑制できる。すなわち、配線Ｃの保護を図ることができる。
【００６１】
また、本実施形態の什器システムＳｙｓによれば、ワゴン装置２が、什器本体部２１の開口部２１１を開閉可能とする蓋部２３をさらに備える。什器本体部２１の開口部２１１を蓋部２３によって閉じることで、物品収容空間Ｓ３に収容された電子機器Ｅが外部に露出することを防止できる。すなわち、電子機器Ｅをより安全に管理できる。
【００６２】
また、本実施形態の什器システムＳｙｓによれば、ワゴン装置２が、什器本体部２１の開口部２１１を閉じる位置Ｐ１１に蓋部２３を保持する施錠装置２５をさらに備える。これにより、施錠装置２５によって蓋部２３が開口部２１１を閉じる位置Ｐ１１から開く位置Ｐ１２に移動することを防止できる。したがって、物品収容空間Ｓ３に収容された電子機器Ｅをより安全に管理することができる。
【００６３】
また、本実施形態の什器システムＳｙｓによれば、ワゴン装置２が、物品収容空間Ｓ３に対して挿抜可能に設けられ、電子機器Ｅを収容可能な引出し部２４をさらに備える。引出し部２４を利用することで、電子機器Ｅを什器本体部２１の物品収容空間Ｓ３に対して簡単に出し入れすることができる。
【００６４】
また、本実施形態の什器システムＳｙｓによれば、什器本体部２１の物品収容空間Ｓ３が、物品収容空間Ｓ３に対する引出し部２４の挿抜位置（挿入位置Ｐ２１及び抜出位置Ｐ２２）に関わらず、引出し部２４の挿抜方向において引出し部２４と什器本体部２１の内面との間に形成される配線案内空間部Ｓ３１を含む。この配線案内空間部Ｓ３１に、引出し部２４から配線挿通孔２１６に至る配線Ｃの部位が配される。これにより、引出し部２４を挿入位置Ｐ２１に配した状態であっても、物品収容空間Ｓ３において引出し部２４から配線挿通孔２１６に至る配線Ｃの部位が、引出し部２４と什器本体部２１の内面との間に挟まれることを防止できる。
【００６５】
以上、本発明の詳細について説明したが、本発明は上述した実施形態に限定されるものではなく、本発明の趣旨を逸脱しない範囲において種々の変更を加えることができる。
【００６６】
本発明の什器システムにおいては、例えば図８，９に示すように、什器本体部２１の配線挿通孔２１６が、什器本体部２１の開口部２１１の一部によって構成されてよい。配線挿通孔２１６は、開口部２１１を閉じる位置Ｐ１１に蓋部２３を配しても開口部２１１のうち蓋部２３によって覆われない部分である。すなわち、蓋部２３が開口部２１１の一部を閉じるように設けられることで、蓋部２３よって閉じられない開口部２１１の残部が、配線挿通孔２１６として形成される。
図８，９に例示する什器システムＳｙｓ２において、配線挿通孔２１６は、引出し部２４よりも上方に位置している。これにより、引出し部２４に収容された電子機器Ｅから延びる配線Ｃを、簡単に配線挿通孔２１６に通してワゴン装置２の物品収容空間Ｓ３の外側に引き出すことができる。
【００６７】
図８，９に例示する什器システムＳｙｓ２において、ワゴン装置２は、配線挿通孔２１６を含む什器本体部２１の開口部２１１が前後方向において天板１２の外側に向くように、すなわち前後方向において配線挿通部１３と反対側に向くように、配される。このため、配線Ｃを物品収容空間Ｓ３から配線挿通孔２１６に通して配線挿通部１３に到達させるためには、配線挿通孔２１６から物品収容空間Ｓ３の外側に引き出された配線Ｃを、開口部２１１が位置する什器本体部２１の前側から背面板２１３Ｂが位置する後側に向けて通せばよい。
什器本体部２１の側面（図示例では右側板２１３Ｒの外面）に沿って什器本体部２１の前側から後側に延びる配線Ｃの部位は、例えば磁石（磁力）等によって什器本体部２１の側面に取り付けられてよい。また、物品収容空間Ｓ３や引出し部２４に収容された電子機器Ｅに接続する配線Ｃの端子Ｃ１は、上記実施形態と同様に物品収容空間Ｓ３や引出し部２４に収容されてもよいし、図８，９に例示するように、什器本体部２１の側面に取り付けられてもよい。
【符号の説明】
【００６８】
Ｓｙｓ，Ｓｙｓ２  什器システム
１  天板付き什器
２  ワゴン装置
１１  支持脚体
１２  天板
１２ｂ  下面
１３  配線挿通部
２１  什器本体部
２２  キャスター装置
２３  蓋部
２４  引出し部
２５  施錠装置
１３１  配線用開口孔
２１１  開口部
２１６  配線挿通孔
Ｃ  配線
Ｅ  電子機器
Ｆ  床面
Ｓ２  配線挿通部１３の挿通空間
Ｓ３  物品収容空間
Ｓ３１  配線案内空間部
【図１】
2020175007.tif 000003
【図２】
2020175007.tif 000004
【図３】
2020175007.tif 000005
【図４】
2020175007.tif 000006
【図５】
2020175007.tif 000007
【図６】
2020175007.tif 000008
【図７】
2020175007.tif 000009
【図８】
2020175007.tif 000010
【図９】
2020175007.tif 000011